(57)【特許請求の範囲】
【請求項１】
第１の生地の周縁部と第２の生地の周縁部とが融着用フィルムを介して固着され、
前記第１の生地の周縁部及び前記第２の生地の周縁部が、前記衣類の内側に向かって折り返されており、
前記融着用フィルムは、前記衣類の外周縁に沿って帯状に延びており、
折り返された前記第１の生地の周縁部と折り返された前記第２の生地の周縁部との間に前記帯状の融着用フィルムを介在させて形成された周縁突起部が、前記衣類の内側に向かって延びている無縫の衣類の製造装置であって、
前記衣類の輪郭形状に倣って形成された金型シール部及びカッター刃を備え、
前記カッター刃は、前記金型シール部の幅内に配されており、
前記金型シール部は、その幅方向に沿って断面視して、前記カッター刃よりも内側の部分における該カッター刃とは反対側の先端内側角部が直角に形成されており、
前記金型シール部は、その幅方向に沿って断面視して、前記カッター刃よりも内側の部分における前記カッター刃側の外側外壁の高さが、該内側の部分における内側内壁の高さよりも低くなっており、
第１の生地の原反と第２の生地の原反との間に融着用フィルムの原反を配した複合体に、前記金型シール部を用いて前記衣類の輪郭形状の周縁固着部の前駆体を形成した後、前記カッター刃を用いて前記衣類の前駆体を形成する無縫の衣類の製造装置。
【請求項２】
前記融着用フィルムは、複数枚からなり、該複数枚の融着用フィルムが互いに重なり合って、前記衣類の外周縁に沿って帯状に延びており、
第１の生地の原反と第２の生地の原反との間に複数枚の融着用フィルムの原反を配した複合体に、前記金型シール部を用いて前記衣類の輪郭形状の周縁固着部の前駆体を形成した後、前記カッター刃を用いて前記衣類の前駆体を形成する請求項１に記載の無縫の衣類の製造装置。
【請求項３】
第１の生地の周縁部と第２の生地の周縁部とが融着用フィルムを介して固着され、
前記第１の生地の周縁部及び前記第２の生地の周縁部が、前記衣類の内側に向かって折り返されており、
前記融着用フィルムは、前記衣類の外周縁に沿って帯状に延びており、
折り返された前記第１の生地の周縁部と折り返された前記第２の生地の周縁部との間に前記帯状の融着用フィルムを介在させて形成された周縁突起部が、前記衣類の内側に向かって延びている無縫の衣類の製造方法であって、
第１の生地の原反と第２の生地の原反との間に融着用フィルムの原反を配した複合体に、前記衣類の輪郭形状に倣った形状の周縁固着部の前駆体を形成して固着するシール工程と、
形成された前記周縁固着部の前駆体の幅内で、該周縁固着部の前駆体の外周縁に沿って前記衣類の相似形状にカットして前記衣類の前駆体を形成するカット工程と、
形成された前記衣類の前駆体を裏返して、裏返された前記衣類の前駆体の外周縁に沿って前記周縁固着部以外の前記融着用フィルムを引き剥がして周縁固着部を形成する引き剥がし工程とを備え、
前記シール工程は、前記衣類の輪郭形状に倣って形成された金型シール部を用いて行い、
前記カット工程は、前記衣類の輪郭形状に倣って形成されており、前記金型シール部の幅内に配されるカッター刃を用いて行い、
前記金型シール部は、その幅方向に沿って断面視して、前記カッター刃よりも内側の部分における該カッター刃とは反対側の先端内側角部が直角に形成されており、
前記金型シール部は、その幅方向に沿って断面視して、前記カッター刃よりも内側の部分における前記カッター刃側の外側外壁の高さが、該内側の部分における内側内壁の高さよりも低くなっている無縫の衣類の製造方法。
【請求項４】
前記融着用フィルムは、複数枚であり、
前記シール工程は、前記第１の生地の原反と前記第２の生地の原反との間に複数枚の前記融着用フィルムの原反を配した複合体に、前記衣類の輪郭形状に倣った形状の周縁固着部の前駆体を形成して固着し、
前記引き剥がし工程は、形成された前記衣類の前駆体を裏返して、裏返された前記衣類の前駆体の外周縁に沿って前記周縁固着部以外の前記複数枚の融着用フィルムを引き剥がして周縁固着部を形成する請求項３に記載の無縫の衣類の製造方法。
【発明の詳細な説明】
【技術分野】
【０００１】
本発明は、糸や針を用いて縫製されていない無縫の衣類に関する。また、本発明は、無縫の衣類の製造装置に関する。さらに、本発明は、無縫の衣類の製造方法に関する。
【背景技術】
【０００２】
従来より、生地の端部を糸や針を用いて縫製する替わりに、生地の端部を熱融着等により固着して製造された無縫の衣類が知られている（特許文献１，２）。
【０００３】
例えば、特許文献１，２には、超音波による熱融着によって製造された無縫の衣類が記載されている。特許文献１，２に記載の無縫の衣類は、糸及び針を用いてミシンにより縫製して製造される衣類に比べて製造コストを抑えることができる。
【先行技術文献】
【特許文献】
【０００４】
【特許文献１】特開２００６-２３２６号公報
【特許文献２】特開２０１１-４７０６６号公報
【発明の概要】
【発明が解決しようとする課題】
【０００５】
しかし、融着により形成された融着部の強度を向上させることは難しく、使用状況によっては、融着部から破れてしまうことがあった。特許文献１，２には、融着により形成される融着部の強度を向上させることに関して、何ら記載されていない。
【０００６】
したがって本発明は、前述した従来技術が有する欠点を解消し得る無縫の衣類に関する。また、本発明は、無縫の衣類を効率的に製造する製造装置に関する。さらに、本発明は、無縫の衣類を効率的に製造する製造方法に関する。
【課題を解決するための手段】
【０００７】
本発明は、第１の生地の周縁部と第２の生地の周縁部とが融着用フィルムを介して固着された無縫の衣類であって、前記第１の生地の周縁部及び前記第２の生地の周縁部が、前記衣類の内側に向かって折り返されており、前記融着用フィルムは、複数枚からなり、該複数枚の融着用フィルムが互いに重なり合って前記衣類の外周縁に沿って帯状に延びており、折り返された前記第１の生地の周縁部と折り返された前記第２の生地の周縁部との間に前記複数枚の帯状の融着用フィルムを介在させて形成された周縁突起部が、前記衣類の内側に向かって延びている無縫の衣類を提供するものである。
【０００８】
また、本発明は、第１の生地の周縁部と第２の生地の周縁部とが融着用フィルムを介して固着され、前記第１の生地の周縁部及び前記第２の生地の周縁部が、前記衣類の内側に向かって折り返されており、前記融着用フィルムは、前記衣類の外周縁に沿って帯状に延びており、折り返された前記第１の生地の周縁部と折り返された前記第２の生地の周縁部との間に前記帯状の融着用フィルムを介在させて形成された周縁突起部が、前記衣類の内側に向かって延びている無縫の衣類の製造装置であって、前記衣類の輪郭形状に倣って形成された金型シール部及びカッター刃を備え、前記カッター刃は、前記金型シール部の幅内に配されており、前記金型シール部は、その幅方向に沿って断面視して、前記カッター刃よりも内側の部分における該カッター刃とは反対側の先端内側角部が直角に形成されており、第１の生地の原反と第２の生地の原反との間に融着用フィルムの原反を配した複合体に、前記金型シール部を用いて前記衣類の輪郭形状の周縁固着部の前駆体を形成した後、前記カッター刃を用いて前記衣類の前駆体を形成する無縫の衣類の製造装置を提供するものである。
【０００９】
さらに、本発明は、第１の生地の周縁部と第２の生地の周縁部とが融着用フィルムを介して固着され、前記第１の生地の周縁部及び前記第２の生地の周縁部が、前記衣類の内側に向かって折り返されており、前記融着用フィルムは、前記衣類の外周縁に沿って帯状に延びており、折り返された前記第１の生地の周縁部と折り返された前記第２の生地の周縁部との間に前記帯状の融着用フィルムを介在させて形成された周縁突起部が、前記衣類の内側に向かって延びている無縫の衣類の製造方法であって、第１の生地の原反と第２の生地の原反との間に融着用フィルムの原反を配した複合体に、前記衣類の輪郭形状に倣った形状の周縁固着部の前駆体を形成して固着するシール工程と、形成された前記周縁固着部の前駆体の幅内で、該周縁固着部の前駆体の外周縁に沿って前記衣類の相似形状にカットして前記衣類の前駆体を形成するカット工程と、形成された前記衣類の前駆体を裏返して、裏返された前記衣類の前駆体の外周縁に沿って前記周縁固着部以外の前記融着用フィルムを引き剥がして周縁固着部を形成する引き剥がし工程とを備え、前記シール工程は、前記衣類の輪郭形状に倣って形成された金型シール部を用いて行い、前記カット工程は、前記衣類の輪郭形状に倣って形成されており、前記金型シール部の幅内に配されるカッター刃を用いて行い、前記金型シール部は、その幅方向に沿って断面視して、前記カッター刃よりも内側の部分における該カッター刃とは反対側の先端内側角部が直角に形成されている無縫の衣類の製造方法を提供するものである。
【発明の効果】
【００１０】
本発明によれば、融着により形成される融着部の強度が向上し、該融着部からの破れが起こり難い。また、本発明によれば、無縫の衣類を効率的に製造することができる。
【図面の簡単な説明】
【００１１】
【図１】図１は、本発明の無縫の衣類の１実施形態である手袋の斜視図である。
【図２】図２は、図１に示すＩＩ−ＩＩ線断面図である。
【図３】図３は、図２に示す断面図の要部拡大断面図である。
【図４】図４は、図１に示す手袋の製造装置の概略図である。
【図５】図５は、図４に示す手袋の製造装置の備える金型シール部及びカッター刃の斜視図である。
【図６】図６は、図５に示すＶＩ−ＶＩ線断面図である。
【図７】図７は、図１に示す手袋の製造方法の工程（前半部分）を説明する図である。
【図８】図８は、図１に示す手袋の製造方法の工程（後半部分）を説明する図である。
【図９】図９は、他の製造装置の備える金型シール部及びカッター刃の断面図である（図６相当図）。
【図１０】図１０は、更に他の製造装置の備える金型シール部及びカッター刃の断面図である（図６相当図）。
【発明を実施するための形態】
【００１２】
以下、本発明を、その好ましい実施形態に基づき図面を参照しながら説明する。
図１には、本発明の無縫の衣類の一実施形態である無縫の手袋１の斜視図が示されている。ここで、無縫の衣類とは、例えばミシンにより糸及び針を用いて縫製する方法を一切採らずに、超音波融着、高周波融着、或いは熱融着により固着する方法により製造された衣類を意味する。図１に示すように、本実施形態の手袋１（以下、単に「手袋１」ともいう。）は、第１の生地２の周縁部２ｅと第２の生地３の周縁部３ｅとが融着用フィルム４を介して固着された無縫の手袋である。手袋１は、５本指を収容する指袋がそれぞれ独立した形態の手袋であり、手袋１における第１の生地２とは、手の甲側の手形の生地であり、手袋１における第２の生地３とは、手の平側の手形の生地である。第１の生地２（手の甲側の手形の生地）と、第２の生地３（手の平側の手形の生地）とは、手袋１においては、互いに同形同大に形成されている。
【００１３】
本実施形態の手袋１は、図２に示すように、第１の生地２の周縁部２ｅ及び第２の生地３の周縁部３ｅが、手袋１の内側に向かって折り返されている。具体的に、手袋１においては、第１の生地２（手の甲側の手形の生地）の周縁部２ｅ及び第２の生地３（手の平側の手形の生地）の周縁部３ｅが、手袋１における手の挿入口９となる部分を除いて、手袋１の外周縁１ｅに沿って、手袋１の内側に向かって折り返されている。第１の生地２の折り返された周縁部２ｅの幅と第２の生地３の折り返された周縁部３ｅの幅とは、同じ幅である。
【００１４】
また、本実施形態の手袋１は、図３に示すように、融着用フィルム４が、複数枚（本実施形態においては２枚）からなり、複数枚の融着用フィルム４，４・・・が互いに重なり合って手袋１の外周縁１ｅに沿って帯状に延びている。各帯状の融着用フィルム４の幅は、第１の生地２の折り返された周縁部２ｅの幅及び第２の生地３の折り返された周縁部３ｅの幅と、同じ幅となっている。このように、本実施形態の手袋１においては、第１の生地２と第２の生地３とを固着する融着用フィルム４が、第１の生地２又は第２の生地３の表面又は裏面の全面に配されておらず、第１の生地２の折り返された周縁部２ｅの幅又は第２の生地３の折り返された周縁部３ｅの幅にのみ配されている。その為、第１の生地２又は第２の生地３の生地本来の肌触り感、伸縮性能、或いは通気性能を十分に引き出すことができる。
【００１５】
第１の生地２と第２の生地３との間に配される融着用フィルム４の枚数は、融着により形成される融着部である周縁突起部５の強度の向上とコストダウンとの両立の観点から、２枚以上５枚以下であることが好ましく、２枚以上３枚以下であることが更に好ましい。
【００１６】
本実施形態の手袋１は、図２に示すように、折り返された第１の生地２の周縁部２ｅと折り返された第２の生地３の周縁部３ｅとの間に複数枚（本実施形態においては２枚）の帯状の融着用フィルム４，４・・・を介在させて形成された周縁突起部５が、手袋１の内側に向かって延びている。具体的に、手袋１においては、手袋１の内側に向かって延びる周縁突起部５が、手の挿入口９となる部分を除いて、手袋１の外周縁１ｅに沿って形成されている。周縁突起部５は、生地２の周縁部２ｅ、２枚の融着用フィルム４，４及び生地３の周縁部３ｅの順に積層されており、周縁部２ｅ及び周縁部３ｅの間に２枚の融着用フィルム４，４を介在させて配した部分を融着させて形成される。周縁突起部５の幅（ｗ１）は、０．５ｍｍ以上１０ｍｍ以下であることが好ましく、１ｍｍ以上２ｍｍ以下であることが更に好ましい。
【００１７】
本実施形態の手袋１の形成材料について説明する。
第１の生地２（手の甲側の手形の生地）及び第２の生地３（手の平側の手形の生地）としては、織物、不織布、編み物、革等が挙げられ、これらを組み合わせたものを用いることもできる。織物、不織布、編み物の素材としては、ポリエステル繊維、ナイロン繊維、ポリプロプレン繊維、ポリエチレン繊維、ポリアミド繊維、アクリル繊維、ポリウレタン繊維、レーヨン繊維、アセテート繊維などの合成樹脂繊維；綿、羊毛、絹、麻などの天然繊維；等が挙げられる。革としては、牛革や豚革などの天然皮革；ウレタン樹脂製、塩化ビニル樹脂製などの合成皮革、人工皮革；またはこれらを組合せたもの等が挙げられる。尚、周縁突起部５の強度向上の観点からは、融着性のある素材が好ましく、具体的にはポリウレタン繊維が好ましく用いられ、ポリウレタン繊維の混繊された混紡繊維が特に好ましく用いられる。
【００１８】
また、手袋１に防水性を付与する場合には、第１の生地２（手の甲側の手形の生地）及び第２の生地３（手の平側の手形の生地）として、防水処理を施した上述した織物、不織布、編み物、革等を用いることもできる。防水処理は、例えば、フッ素系樹脂、ポリオレフィン系樹脂、アクリル樹脂等の疎水性樹脂で、上述した織物、不織布、編み物、革等をコーテイングしたり、あるいは前記疎水性樹脂からなるシートを上述した織物、不織布、編み物、革等にラミネートしたりして行なう。
【００１９】
各融着用フィルム４としては、ポリウレタンフィルム、ポリエチレンフィルム、ポリエステルフィルム、ポリプロピレンフィルム、ポリスチレンフィルム、ポリ塩化ビニルフィルム、ポリ塩化ビニリデンフィルム、ポリビニルアルコールフィルム、ポリカーボネートフィルム、ポリアミドフィルム、塩酸ゴムフィルム、ポリイミドフィルム等の融着性を有する合成樹脂フィルムが挙げられる。特に、各融着用フィルム４としては、融着強度の安定化の観点、及び弾力性の観点から、ポリウレタンフィルムを用いることが好ましく、コストダウンの観点及び引き千切り易さの観点から、ポリエチレンフィルムを用いることが好ましい。複数枚の融着用フィルム４を使用する際、融着強度の安定化とコストダウンとの両立の観点からは、複数枚の融着用フィルム４が全て同一の素材からなるフィルムを用いることが好ましい。各融着用フィルム４は、その厚みが、１０μｍ以上１００μｍ以下であることが好ましく、１５μｍ以上５０μｍ以下であることが更に好ましく、２５μｍ以上３０μｍ以下であることが特に好ましい。尚、厚みに関しては、複数枚の融着用フィルム４が全て同じ厚みのフィルムを用いてもよく、複数枚の融着用フィルム４の中の少なくとも１枚は、異なる厚みのフィルムを用いてもよい。コストダウンと融着強度の安定化との両立の観点から、同一の厚みのフィルムを用いることが好ましく、融着強度の安定化の観点からは、後述する金型シール１１側に相対的に薄めのフィルムを用いることが好ましい。
【００２０】
上述した本発明の実施形態の手袋１を使用した際の作用効果について説明する。
手袋１は、図３に示すように、手袋１の内側に向かって延びている周縁突起部５が、それを断面視して、折り返された第１の生地２と折り返された第２の生地３とが複数枚の帯状の融着用フィルム４を介して融着して形成されている。ここで、一般的に、融着して形成されて形成された融着部分の強度を向上させるためには、融着用フィルムの厚みを厚くすることが考えられる。しかし、融着用フィルムの厚みが厚くなると、形成される融着部分に弾性を与え難く、融着部分の弾性が損なわれると生地本来の伸縮性が発揮できず、商品価値が下がってしまう。また、融着用フィルムの厚みが厚くなると、特注品となりコストが向上してしまう。また、融着させる時間も長くなり、結果としてコストの向上を招いてしまう。それに対し、本実施態様の手袋１は、周縁突起部５が、複数枚の帯状の融着用フィルム４を互いに重ねて形成されているので、厚めの１枚の融着用フィルムを用いるのに比べて、各融着用フィルム４に熱が瞬時に伝わり易く、溶融したフィルムが生地２，３に食い込み易く、融着により形成される融着部である周縁突起部５の強度が向上し、周縁突起部５からの破れが起こり難くなる。尚、周縁突起部５からの破れが起こり難くなると、手袋１の耐久性が向上し、手袋１の商品価値が向上する。また、各融着用フィルム４に熱が瞬時に伝わり溶融したフィルムが生地２，３に食い込み易いので、融着により形成される融着部の弾性が向上し易く、生地本来の伸縮性が発揮でき、商品価値が向上する。さらに、複数枚の帯状の融着用フィルム４として、互いに同じ素材で同じ厚みからなる汎用の同じＬｏｔ品を用いれば、管理がし易く、コストの向上を抑えることができる。
【００２１】
次に、本実施形態の手袋１の製造装置を図４〜図６を参照しながら説明する。
手袋１の製造装置１０は、図５に示すような、手袋１の輪郭形状に倣って形成された金型シール部１１及びカッター刃１２を備えている。カッター刃１２は、金型シール部１１の幅内に配されている。具体的には、金型シール部１１は、手首を含む５本指を有する手の形状に倣って形成された金属製の金型である。カッター刃１２も同様に、手首を含む５本指を有する手の形状に倣って形成されている。金型シール部１１及びカッター刃１２は、図４に示すように、公知の融着機１４の有するプレスシリンダー１３の下端に取り付けられて、金型シール部１１及びカッター刃１２と間隔を空けて対向配置されるフラットな金属製のプレート１５と共に使用されるものである。金型シール部１１及びカッター刃１２は、プレスシリンダー１３によって、上下方向に昇降可能になっている。融着機１４に取り付けられた金型シール部１１は、本実施形態の製造装置１０においては、加熱可能となっている。また、カッター刃１２は、図５に示すように、金型シール部１１の幅内の幅方向中央部分に配され、金型シール部１１の外周縁に沿って配されている。従って、金型シール部１１は、図６に示すように、その幅方向に沿って断面視して、カッター刃１２よりも内側の部分１１１と、カッター刃１２よりも外側の部分１１２とに区分されている。
【００２２】
金型シール部１１は、図６に示すように、その幅方向に沿って断面視して、カッター刃１２よりも内側の部分１１１におけるカッター刃１２とは反対側（金型シール部１１内方側）の先端内側角部１１ｃ１が、直角に形成されている。言い換えれば、金型シール部１１のシール面１１ｆと、内側の部分１１１における内側内壁１１ｉとのなす角αが直角に形成されている。ここで「直角」とは、角度が９０°の角部のみならず、９０°と同視可能な８８°〜９２°の範囲の角度も含まれる意味である。金型シール部１１は、製造装置１０においては、その幅方向に沿って断面視して、金型シール部１１内方側の内側内壁１１ｉの高さと、内側の部分１１１におけるカッター刃１２側の外側外壁１１ｏの高さとが同じになっている。従って、金型シール部１１のシール面１１ｆと外側外壁１１ｏとのなす角βも直角であり、内側の部分１１１におけるカッター刃１２側の先端外側角部１１ｃ２も直角に形成されている。
【００２３】
尚、プレスシリンダー１３の下端に取り付けられた金型シール部１１及びカッター刃１２は、昇降前の静止状態において、カッター刃の高さが、金型シール部１１の高さよりも低くなっている。
【００２４】
次に、本実施形態の手袋１の製造装置１０を用いて、手袋１を製造する製造方法について、図７，図８を参照しながら説明する。図７に示す（ｉ）〜（ｉｉｉ）及び図８に示す（ｉｖ）〜（ｖ）は、手袋１を製造する製造方法の製造工程を説明する図であり、各工程における（ａ）は各工程での断面図を示し、各工程における（ｂ）は各工程で得られたものの平面図を示している。
本実施形態の製造装置１０は、第１の生地２（手の甲側の手形の生地）の原反２０と第２の生地３（手の平側の手形の生地）の原反３０との間に複数枚の融着用フィルム４の原反４０，４０・・・（本実施態様においては２枚の原反４０，４０）を配した複合体７に、金型シール部１１を用いて手袋１の輪郭形状の周縁固着部５の前駆体５ａを形成した後、カッター刃１２を用いて手袋１の前駆体１ａを形成する無縫の手袋１の製造装置である。
【００２５】
手袋１を製造する製造装置１０を用いた本実施態様の製造方法は、先ず、融着機１４に取り付けられた金型シール部１１及びカッター刃１２と、融着機１４のフラットなプレート１５との間に、図７（ｉ）（ａ）及び図７（ｉ）（ｂ）に示すように、第１の生地２の原反２０と第２の生地３の原反３０との間に複数枚の融着用フィルム４の原反４０，４０・・・（本実施態様においては２枚）を配した複合体７を配置する。
【００２６】
次いで、製造装置１０を用いた手袋１の製造方法においては、図７（ｉｉ）（ａ）及び図７（ｉｉ）（ｂ）に示すように、複合体７に、手袋１の輪郭形状に倣った形状の周縁固着部５の前駆体５ａを形成して固着する（シール工程）。シール工程は、手袋１の輪郭形状に倣って形成された金型シール部１１を用いて行う。具体的に本実施態様の製造方法においては、金型シール部１１を、各融着用フィルム４を構成する合成樹脂の融点以上の温度に加熱して、加熱された金型シール部１１をプレスシリンダー１３によって下方に降下させ、複合体７を金型シール部１１とフラットなプレート１５とで加圧し、手首を含む５本指を有する手の形状に倣った形状の周縁固着部５の前駆体５ａを形成する。ここで、上述したように、金型シール部１１は、図６に示すように、その幅方向に沿って断面視して、内方側の先端内側角部１１ｃ１が直角に形成されているので、前駆体５１ａを、図７（ｉｉ）（ａ）に示すように、その幅方向に沿って断面視して、先端内側角部１１ｃ１に対応する位置に、金型シール部１１により加圧された部分と非加圧な部分との境界Ｂが、手袋１の輪郭形状に倣って形成される。
【００２７】
次いで、製造装置１０を用いた手袋１の製造方法においては、図７（ｉｉｉ）（ａ）及び図７（ｉｉｉ）（ｂ）に示すように、形成された周縁固着部５の前駆体５ａの幅内で、前駆体５ａの外周縁に沿って手袋１の相似形状にカットして手袋１の前駆体１ａを形成する（カット工程）。カット工程は、手袋１の輪郭形状に倣って形成されており、金型シール部１１の幅内に配されたカッター刃１２を用いて行う。具体的に本実施態様の製造方法においては、カッター刃１２をプレスシリンダー１３によって更に下方に降下させ、周縁固着部５の前駆体５ａの形成された複合体７をカッター刃１２とフラットなプレート１５とで加圧し、周縁固着部５の前駆体５ａの幅内の幅方向中央部分にて前駆体５ａの外周縁に沿ってカットして、手袋１の前駆体１ａを形成する。従って、周縁固着部５の前駆体５ａは、カッター刃１２により、その幅が略半分に切断される。このように、周縁固着部５の前駆体５ａの幅内でカッター刃１２によってカットするので、切断面からの生地の発塵を防止することができる。
【００２８】
次いで、手袋１の製造方法においては、金型シール部１１及びカッター刃１２を、プレスシリンダー１３によって、上方に上昇させ、融着機１４に取り付けられた金型シール部１１及びカッター刃１２と、融着機１４のフラットなプレート１５との間から、形成された手袋１の前駆体１ａを取り出す。
【００２９】
次いで、製造装置１０を用いた手袋１の製造方法においては、図８（ｉｖ）及び図８（ｖ）に示すように、形成された手袋１の前駆体１ａを裏返して、裏返された手袋１の前駆体１ａの外周縁に沿って、周縁突起部５の前駆体５ａ以外の複数枚の融着用フィルム４，４・・・（本実施態様においては２枚）を引き剥がして周縁突起部５を形成する（引き剥がし工程）。引き剥がし工程においては、図８（ｉｖ）（ａ）及び図８（ｉｖ）（ｂ）に示すように、形成された手袋１の前駆体１ａを裏返して、周縁突起部５の前駆体５ａが裏返された手袋１の前駆体１ａの内側（内部）に突出するようにする。上述した図７（ｉｉｉ）（ｂ）に示すように、周縁突起部５の前駆体５ａには、加圧された部分と非加圧な部分との境界Ｂが、手袋１の輪郭形状に倣って、手袋１の前駆体１ａの内側に形成されている。このように形成された手袋１の前駆体１ａを裏返せば、図８（ｉｖ）（ａ）に示すように、裏返された手袋１の前駆体１ａの外周縁側（外側）に、手袋１の輪郭形状に倣った境界Ｂが配されるようになる。その為、図８（ｖ）（ａ）及び図８（ｖ）（ｂ）に示すように、周縁突起部５以外の融着用フィルム４を引き剥がす際、本実施態様の手袋１の製造方法によれば、裏返された手袋１の前駆体１ａの外周縁に沿って、境界Ｂを支点に、例えば手の挿入口９となる部分から周縁突起部５以外の融着用フィルム４を引き剥がし易く、図１に示す手袋１を効率的に製造し易い。
【００３０】
特に、製造装置１０を用いた手袋１の製造方法においては、周縁突起部５の前駆体５ａ以外の余分な部分の複数枚の融着用フィルム４，４・・・（本実施態様においては２枚）を、境界Ｂを支点に引き剥がすことになる。ここで、融着部分の強度を向上させるために厚めの１枚の融着用フィルムを使用した際には、余分な部分の厚めの融着用フィルムを引き剥がすときに、引き裂き部分が一度脱線してしまうと、余分な部分が残ってしまう。それに対し、余分な部分の複数枚の融着用フィルム４，４・・・（本実施態様においては２枚）を、境界Ｂを支点に引き剥がす際には、一枚の融着用フィルム４で引き裂き部分が脱線したとしても、残りの他の融着用フィルム４により脱線した引き裂き部分の軌跡を修正でき、余分な部分を残さないように引き剥がすことができ、手間がかかり難い。従って、融着により形成された周縁突起部５の強度が向上し、周縁突起部５からの破れが起こり難い手袋１を、手間を掛けず、コストの向上を抑えながら、効率的に製造し易い。
【００３１】
尚、引き剥がし工程にて、引き剥がされた余分な融着用フィルムは、収集してフィルムメーカーにて再加工することにより、リサイクルすることができる。
【００３２】
以上、本発明の無縫の衣類をその好ましい実施形態の手袋１に基づき説明したが、本発明は前記実施形態に制限されない。また、本発明の衣類の製造装置をその好ましい実施形態に基づき説明したが、本発明は前記実施形態に制限されない。また、本発明の衣類の製造方法をその好ましい実施態様に基づき説明したが、本発明は前記実施態様に制限されない。
【００３３】
例えば上述した無縫の衣類は、手袋であるが、手袋以外の例えば、アンダーシャツ、トランクス、ブリーフ等のインナーウェア、ポロシャツ、ブラウス、ドレスシャツ等のアウターウェア、その他ズボン類、ニット、靴下、セーター、或いは、それらを防水加工したもの、例えば、防水インナー等であってもよい。このような衣類の場合、該衣類における第１の生地２とは、例えば着用者の肌対向面側の生地であり、該衣類における第２の生地３とは、例えば着用者の非肌対向面側の生地である。
【００３４】
また、上述した実施形態の手袋１は、５本指を収容する指袋がそれぞれ独立した形態の手袋であるが、親指を収容する指袋と残りの４本の指を収容する指袋とに分けられたミトン形状の手袋であってもよい。また、指切り形状の手袋、立体形状の手袋、半立体形状の手袋であってもよい。
【００３５】
また、上述した手袋１を製造する製造装置１０において、図６に示すように、金型シール部１１は、その幅方向に沿って断面視して、カッター刃１２よりも内側の部分１１１における先端内側角部１１ｃ１及び先端外側角部１１ｃ２が直角に形成されており、内側内壁１１ｉの高さと外側外壁１１ｏの高さとが同じになっているが、図９に示すように、金型シール部１１を幅方向に沿って断面視して、内側の部分１１１における外側外壁１１ｏの高さが、内側の部分１１１における内側内壁１１ｉの高さよりも低くなっていてもよい。具体的には、金型シール部１１の内側の部分１１１において、シール面１１ｆと内側内壁１１ｉとのなす角αが直角に形成され、先端内側角部１１ｃ１が直角に形成されているが、先端外側角部１１ｃ２は面取りされて、カッター刃１２側の先端が切り欠かれている。図９に示す金型シール部１１を用いて手袋１を製造する製造方法によれば、図６に示す金型シール部１１の内側の部分１１１に比べて、内側の部分１１１におけるシール面１１ｆの面積が少なくなり、熱が伝わる部分が小さくなり、カッター刃１２でカットする、面取りされた外側角部１１ｃ２に対応する部分が柔らかくなる。このように形成されたカット部分は、製品形態の手袋１において、周縁突起部５の先端側に配されるようになる。従って、周縁突起部５の先端側が柔らかくなるので、周縁突起部５が肌に触れたとしても、肌触りが良好となり易い。図９に示す金型シール部１１を用いた手袋１の製造方法によれば、肌触りが良好となり易く、周縁突起部５の強度の高い手袋１を効率的に製造し易い。
【００３６】
更に、図１０に示す金型シール部１１は、金型シール部１１の内側の部分１１１において、先端内側角部１１ｃ１が直角に形成され、先端外側角部１１ｃ２が面取りされて、カッター刃１２側の先端が切り欠かれている。それと共に、金型シール部１１の外側の部分１１２において、内側の部分１１１と対抗する側の先端角部１１ｃ３が面取りされて、カッター刃１２側の先端が切り欠かれている。図１０に示す金型シール部１１を用いて手袋１を製造する製造方法によれば、図６に示す金型シール部１１及び図９に示す金型シール部１１に比べて、内側の部分１１１及び外側の部分１１２におけるシール面１１ｆの面積がさらに少なくなり、熱が伝わる部分がさらに小さくなり、カッター刃１２でカットする、面取りされた外側角部１１ｃ２及び先端角部１１ｃ３に対応する部分が更に柔らかくなる。このように形成されたカット部分は、最終形態の手袋１において、周縁突起部５の先端側に配されるようになる。従って、周縁突起部５の先端側が更に柔らかくなるので、周縁突起部５が肌に触れたとしても、肌触りが更に良好となり易い。図１０に示す金型シール部１１を用いた手袋１の製造方法によれば、肌触りが更に良好となり易く、周縁突起部５の強度の高い手袋１を効率的に製造し易い。
【００３７】
また、上述した手袋１を製造する製造装置１０及び上述した手袋１を製造する製造方法においては、図４，図７（ｉ）（ａ）及び図７（ｉ）（ｂ）に示すように、融着機１４に取り付けられた金型シール部１１及びカッター刃１２と、融着機１４のフラットなプレート１５との間に配置される複合体７を構成する融着用フィルム４の原反４０が、複数枚であったが、１枚であってもよい。融着用フィルム４の原反４０が１枚である場合、本発明の製造装置及び製造方法によれば、折り返された第１の生地２の周縁部２ｅと折り返された第２の生地３の周縁部３ｅとの間に１枚の帯状の融着用フィルム４を介在させて形成された周縁突起部５が備えられた手袋を、効率的に製造することができる。
【００３８】
また、上述した手袋１を製造する製造装置１０においては、図４，図５に示すように、既にカッター刃１２が金型シール部１１の幅内に配されたものを使用しているが、金型シール部１１を取り付けるプレスシリンダーを有する装置とカッター刃１２を取り付けるプレスシリンダーを有する装置を別々に用意して、金型シール部１１で形成された周縁固着部５の前駆体５ａの幅内をカッター刃１２でカットするようにしてもよい。
【００３９】
また、金型シール部１１は、製造装置１０においては、加熱可能となっているが、加熱以外に、高周波、或いは超音波を施すようにしてもよい。
【符号の説明】
【００４０】
１  無縫の手袋
９  手の挿入口
１ｅ  外周縁
１ａ  手袋の前駆体
２  第１の生地（手の甲側の手形の生地）
２ｅ  周縁部
３  第２の生地（手の平側の手形の生地）
３ｅ  周縁部
４  融着用フィルム
５  周縁突起部
５ａ  周縁突起部の前駆体
７  複合体
１０  製造装置
１１  金型シール部
１１１  カッター刃よりも内側の部分
１１ｏ  外側外壁
１１ｉ  内側内壁
１１ｆ  シール面
１１ｃ１  先端内側角部
１１ｃ２  先端外側角部
１１２  カッター刃よりも外側の部分
１１ｃ３  先端角部
１２  カッター刃
１３  プレスシリンダー
１４  融着機
１５  プレート
２０  第１の生地２（手の甲側の手形の生地）の原反
３０  第２の生地３（手の平側の手形の生地）の原反
４０  融着用フィルム４の原反
【要約】
【課題】融着により形成される融着部の強度が向上し、該融着部からの破れが起こり難い無縫の衣類を提供すること。
【解決手段】本発明の無縫の衣類の一実施形態である手袋１は、第１の生地２と第２の生地３とが融着用フィルム４を介して固着された無縫のものである。第１の生地２の周縁部２ｅ及び第２の生地３の周縁部３ｅは、手袋１の内側に向かって折り返されている。融着用フィルム４は、複数枚からなり、互いに重なり合って手袋１の外周縁１ｅに沿って帯状に延びている。手袋１は、折り返された第１の生地２の周縁部２ｅと折り返された第２の生地３の周縁部３ｅとが帯状の融着用フィルム４を介在させて形成された周縁突起部５が、手袋１の内側に向かって延びている。
【選択図】図１【図１】
0005747292.tif 000002
【図２】
0005747292.tif 000003
【図３】
0005747292.tif 000004
【図４】
0005747292.tif 000005
【図５】
0005747292.tif 000006
【図６】
0005747292.tif 000007
【図７】
0005747292.tif 000008
【図８】
0005747292.tif 000009
【図９】
0005747292.tif 000010
【図１０】
0005747292.tif 000011